(57)【要約】      （修正有）【課題】分解能の異なる観測センサーによって得られた観測データから高分解能の観測データを新たに生成することを目的とした観測処理装置、処理方法、ならびにプログラミングを提供する。【解決手段】高分解能観測データと低分解能観測データを各々周波数変換をし、得られた周波数領域を周波数成分合成演算部３によって合成し、周波数逆変換を施すことにより高分解能観測データとして新たに生成する。【選択図】図１
2005106791.tif 000002
【特許請求の範囲】
【請求項１】
分解能の異なる観測センサーから希望の分解能の観測データを生成する観測処理装置において、高分解能観測センサーから得られた観測データと低分解能観測センサーから得られた観測データを各々周波数変換して、各周波数成分に変換する手段と、
前記周波数変換により得られた各周波数成分に基づき新たな周波数成分を合成生成する手段と、
前記生成手段により生成された新たな周波数成分を周波数逆変換し高分解能観測センサーから得られた観測データの特徴を利用した希望の高分解能観測データを生成する手段とを備えた観測処理装置。
【請求項２】
請求項１記載の観測処理装置において、前記周波数変換手段は、高分解能観測データと低分解能観測データに対して各々ウェーブレット変換やフーリエ変換をすることにより周波数成分を生成する手段と、
変換された各々周波数成分に基づき新たな周波数成分を合成生成し、生成された新たな周波数成分に基づき周波数逆変換をすることにより、前記高分解能観測データに対して分解能が２ｍ倍の（例えばｍは０以下の整数）低分解能観測データとから前記低分解能観測データに対して分解能が２ｎ倍の（例えばｎは０以上の整数）高分解能観測データを生成する手段を特徴とする観測処理装置。
【請求項３】
コンピュータに、
高分解能観測センサーから得られた観測データと低分解能観測センサーから得られた観測データを各々周波数変換し、各周波数成分に変換する機能と、変換された周波数成分に基づき新たな周波数成分を合成生成する機能と、前記生成された周波数成分に基づき周波数逆変換をする機能とを実現することを特徴とするプログラム。
【発明の詳細な説明】
【技術分野】
【０００１】本発明は、分解能の異なる観測センサーによって得られた観測データから希望の分解能の観測データを生成する技術に関する。
【背景技術】
【０００２】従来、分解能の異なる観測センサーから得られた観測データを希望の分解能にするために、画像処理法における解像度変更処理などにより希望の解像度に変更をしていた。例えば以下のようなものがある。【０００３】即ち、最近隣内挿法（ｎｅａｒｅｓｔ  ｎｅｉｇｈｂｏｒ  ｉｎｔｅｒｐｏｌａｔｉｏｎ）により低分解能の観測データを処理し、希望の分解能へと変更を行う手法がある。【０００４】また、共１次内挿法（ｂｉ−ｌｉｎｅａｒ  ｉｎｔｅｒｐｏｌａｔｉｏｎ）により周辺の観測データ（４点）から得られるデータの特徴から希望の分解能データを生成する手法がある。【０００５】さらに、３次たたみ込み内挿法（ｃｕｂｉｃ  ｃｏｎｖｏｌｕｔｉｏｎ  ｉｎｔｅｒｐｏｌａｔｉｏｎ）により周辺の観測データ（１６点）から得られるデータの特徴から希望の分解能データを生成する手法がある。
【発明の開示】
【発明が解決しようとする課題】
【０００６】しかしながら、従来の技術においては、異なる分解能の観測センサーから得られた観測データに対して処理を行うというよりも、同一の観測データや画像として扱う手法にゆだねられているため、概して画像処理法を利用し行われている処理になってしまい、得られた観測データを十分に活用して希望の観測データを作成することが困難であり、また処理方法も複雑化していた。【０００７】本発明の課題は、上述問題点に対して、分解能の異なる観測センサーによって得られた観測データから希望の観測データを容易に生成する観測処理装置、処理方法、及びプログラムを実現することである。
【課題を解決するための手段】
【０００８】上述の課題を解決するために、以下のような構成や特徴を本発明は備えている。発明の構成や特徴は構成部分に対して以下に示す説明において図面の符号などを併用して説明を示す。【０００９】請求項１記述の発明において、分解能の異なる観測センサーによって得られた観測データから、希望の分解能の観測データを生成する観測処理装置において、得られた観測データを各々周波数変換して各周波数成分を生成し、得られた各々の周波数成分を合成し新たな周波数成分を生成することと、前記得られた新たな周波数成分に対して、周波数逆変換を施し、高分解能の観測データを生成することを特徴としている処理方法である。【００１０】ならびに、請求項１の観測処理装置の処理方法において、請求項１記載の発明によると、分解能の異なる観測データは、高分解能観測センサーと、低分解能観測センサーなど、異なる観測センサーから得られた観測データである。前記観測データに対して周波数変換をし、各々得られた周波数成分から、新たな周波数成分を合成生成し、前記得られた周波数成分を利用し周波数逆変換を施すことにより、希望の観測データを生成することを特徴としている。【００１１】また、請求項１の観測処理装置において、請求項２記載の発明のように、周波数変換をする手段は、高分解能観測センサーと低分解能観測センサーから得られた観測データに対して各々ウェーブレット変換やフーリエ変換等による周波数変換方法を施し、高分解能観測センサーから得られた観測データに対して２ｎ倍の（例えばｎは０以下の整数）低分解能観測センサーから得られた観測データを併用して、低分解能観測センサーから得られた観測データに対して２ｍ倍の（例えばｍは０以上の整数）高分解能観測データを生成するという方法も可能である。【００１２】請求項３において、コンピュータに、高分解能観測センサーと低分解能観測センサーから得られた観測データを各々周波数変換をして、得られた各々の周波数成分を利用し新たな周波数成分を合成生成し、前記生成された新たな周波数成分から、周波数逆変換をして希望の分解能の観測データを生成する手法を可能にすることを特徴としている。
【本発明の効果】
【００１３】本発明によると、分解能の異なる観測センサーによって得られた観測データから、希望する分解能の観測データを、各センサーの特徴を利用しながら容易に生成することが可能となる。例えば、２つの異なる観測センサーによって得られた観測データから希望する分解能の観測データを生成することを容易に実現できる。
【発明を実施するための最良の形態】
【００１４】実施するための形態を以下に図面を参照しながら説明を記述する。【００１５】図１は観測処理装置の構成を示す概念図である。観測処理装置は周波数変換部２、周波数成分合成演算部３、周波数逆変換部４、より構成されている。【００１６】周波数変換部２は観測データをウェーブレット変換（ハールの方法等）やフーリエ変換等によって周波数変換をする。【００１７】周波数変換部２は水平、垂直方向にも処理を施すことが可能である。【００１８】周波数成分合成演算部３は、高分解能観測センサーと低分解能観測センサーから得られた観測データの周波数変換処理後の周波数成分を合成変換処理行う。つまり、高分解能観測センサーから得られた観測データに対して周波数変換を施し生成した周波数成分と、低分解能観測センサーから得られた観測センサーの周波数変換後の周波数成分とを合成し、前記処理によって新たな周波数成分を生成するのである。このことにより、さまざまな分解能の観測センサーから得られた観測データに対して実行可能となる。【００１９】周波数逆変換部４は前記によって合成生成した新たな周波数成分に対して周波数逆変換をして、希望する分解能の観測データとして生成するのである。【００２０】上で述べたように実施形態において、周波数変換部２は高分解能観測センサーと低分解能観測センサーから得られた観測データに対して各々周波数変換をし、周波数成分を生成し、周波数成分合成演算部３は周波数変換部２によって各々得られた周波数成分とを合成し新たな周波数成分を生成し、周波数逆変換部４は前記得られた新たな周波数成分に基づき周波数逆変換をして、希望する分解能の観測データとして出力することを実現する。
【実施例】
【００２１】分解能の異なる観測センサーから、低分解能観測センサーから得られる観測データの２ｎ倍の（例えばｎは０以上の整数）高分解能センサーから得られる観測データの特徴を利用した新たな観測データを生成することが実現できる。
【産業上の利用可能性】
【００２２】本発明による観測処理装置、及び処理方法は、衛星データの高分解能観測センサーと低分解能観測センサー利用した観測データに対して処理を施し、新たな高分解能観測データを生成するのに良い１例としてあげられる。観測センサーは衛星だけに限らず、他の観測センサーに対しても、高分解能観測データを生成する際に適している。
【図面の簡単な説明】
【００２３】
【図１】本発明に対しての観測処理装置の構成である概念図である。
【図２】周波数成分合成演算部の処理を示す概念図である。
【符号の説明】
【００２４】  １  観測処理装置
２  周波数変換部
３  周波数成分合成演算部
４  周波数逆変換部
【図１】
2005106791.tif 000003
【図２】
2005106791.tif 000004